【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
送信機において、送信の１つまたは複数のコードブロックに関する複数のビットを符号化することと、
前記送信機によって、時間周波数送信ストリーム中の２つまたはそれより多くのシンボルにまたがって前記１つまたは複数のコードブロックの各々の前記複数のビットをインターリーブすること、ここにおいて、前記インターリーブすることは、前記時間周波数送信ストリームの２つまたはそれより多くのサブフレームにまたがって前記１つまたは複数のコードブロックの各々の前記複数のビットをインターリーブすることを含む、と、
前記送信機によって受信機に前記時間周波数送信ストリームを送信することと、
を備える、ワイヤレス通信の方法。
【請求項２】
前記インターリーブすることは、
前記時間周波数送信ストリームのサブフレームの複数のシンボルにまたがって前記１つまたは複数のコードブロックの各々の前記複数のビットを時間および周波数においてインターリーブすることを含み、ここにおいて、前記１つまたは複数のコードブロックの各々の前記複数のビットが、前記サブフレームの前記複数のシンボルのうちの前記２つまたはそれより多くのシンボルにまたがって、および前記サブフレームの複数の周波数の２つまたはそれより多くの周波数にまたがって構成される、請求項１に記載の方法。
【請求項３】
前記時間周波数送信ストリームが、複数のコードブロック送信シーケンスの第１のコードブロック送信シーケンスに従って送信される、請求項１に記載の方法。
【請求項４】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することをさらに含み、ここにおいて、前記第２のコードブロック送信シーケンスは、前記受信機が前記時間周波数送信ストリームを正常に受信することに失敗した回数に従って前記送信機によって選択される、請求項３に記載の方法。
【請求項５】
受信機で、送信機から時間周波数送信ストリームを受信することと、
前記受信機によって、前記時間周波数送信ストリーム中の２つまたはそれより多くのシンボルにまたがってインターリーブされた１つまたは複数のコードブロックの各々の複数のビットをデインターリーブすること、ここにおいて、前記デインターリーブすることは、前記時間周波数送信ストリームの２つまたはそれより多くのサブフレームにまたがって前記１つまたは複数のコードブロックの各々の前記複数のビットをインターリーブすることを含む、と、
前記受信機で、前記１つまたは複数のコードブロックの前記複数のビットを前記送信機からの送信に復号することと、を備える、ワイヤレス通信の方法。
【請求項６】
前記デインターリーブすることは、
前記時間周波数送信ストリームのサブフレームの複数のシンボルにまたがって前記１つまたは複数のコードブロックの各々の前記複数のビットを時間および周波数においてデインターリーブすることを含み、ここにおいて、前記１つまたは複数のコードブロックの各々の前記複数のビットが、前記サブフレームの前記複数のシンボルのうちの前記２つまたはそれより多くにわたるシンボル中から、および前記サブフレームの複数の周波数の２つまたはそれより多くにわたる周波数中から選択される、請求項５に記載の方法。
【請求項７】
前記受信機で、前記時間周波数送信ストリーム中の第１のシーケンス中に含まれる送信の複数のコードブロックよりも少ないコードブロックを復号することと、
前記複数のコードブロックよりも少ないコードブロックを復号することに応答して、前記受信機によって前記送信機に否定応答を送信することと、
前記受信機で、前記複数のコードブロックを含む前記送信機からの前記時間周波数送信ストリームの再送信を受信すること、ここにおいて、前記再送信中の前記複数のコードブロックが、前記第１のシーケンスとは異なる第２のシーケンスで構成される、と、をさらに含む、請求項５に記載の方法。
【請求項８】
前記受信機で、前記再送信中に含まれる前記複数のコードブロックよりも少ないコードブロックを復号することと、
前記再送信中の前記複数のコードブロックよりも少ないコードブロックを復号することに応答して、および、前記送信中の復号された前記複数のコードブロックの１つまたは複数と、前記再送信中の復号された前記複数のコードブロックの１つまたは複数とが前記複数のコードブロックよりも少ないとき、前記受信機によって前記送信機に別の否定応答を送信することと、をさらに含む、請求項７に記載の方法。
【請求項９】
ワイヤレス通信のために構成された装置であって、
少なくとも１つのプロセッサと、
前記少なくとも１つのプロセッサに結合されたメモリと、
を備え、前記少なくとも１つのプロセッサは、
送信機で、送信の１つまたは複数のコードブロックに関する複数のビットを符号化することと、
前記送信機によって、時間周波数送信ストリーム中の２つまたはそれより多くのシンボルにまたがって前記１つまたは複数のコードブロックの各々の前記複数のビットをインターリーブすること、ここにおいて、インターリーブする前記少なくとも１つのプロセッサの構成は、前記時間周波数送信ストリームの２つまたはそれより多くのサブフレームにまたがって前記１つまたは複数のコードブロックの各々の前記複数のビットをインターリーブする構成を含む、と、
前記送信機によって受信機に前記時間周波数送信ストリームを送信することと、を行うように構成される、装置。
【請求項１０】
インターリーブする前記少なくとも１つのプロセッサの前記構成は、
前記時間周波数送信ストリームのサブフレームの複数のシンボルにまたがって前記１つまたは複数のコードブロックの各々の前記複数のビットを時間および周波数においてインターリーブする構成を含み、ここにおいて、前記１つまたは複数のコードブロックの各々の前記複数のビットが、前記サブフレームの前記複数のシンボルのうちの前記２つまたはそれより多くのシンボルにまたがって、および前記サブフレームの複数の周波数の２つまたはそれより多くの周波数にまたがって構成される、請求項９に記載の装置。
【請求項１１】
前記時間周波数送信ストリームが、複数のコードブロック送信シーケンスの第１のコードブロック送信シーケンスに従って送信される、請求項９に記載の装置。
【請求項１２】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信する前記少なくとも１つのプロセッサの構成をさらに含み、ここにおいて、前記第２のコードブロック送信シーケンスは、前記受信機が前記時間周波数送信ストリームを正常に受信することに失敗した回数に従って前記送信機によって選択される、請求項１１に記載の装置。
【請求項１３】
プログラムコードを記録した非一時的コンピュータ可読媒体であって、前記プログラムコードは、
送信機において、送信の１つまたは複数のコードブロックに関する複数のビットを符号化することをコンピュータに行わせるためのプログラムコードと、
前記送信機によって、時間周波数送信ストリーム中の２つまたはそれより多くのシンボルにまたがって前記１つまたは複数のコードブロックの各々の前記複数のビットをインターリーブすることを前記コンピュータに行わせるためのプログラムコード、ここにおいて、インターリーブすることを前記コンピュータに行わせるための前記プログラムコードは、前記時間周波数送信ストリームの２つまたはそれより多くのサブフレームにまたがって前記１つまたは複数のコードブロックの各々の前記複数のビットをインターリーブすることを前記コンピュータに行わせるためのプログラムコードを含む、と、
前記送信機によって受信機に前記時間周波数送信ストリームを送信することを前記コンピュータに行わせるためのプログラムコードと、を備える、非一時的コンピュータ可読媒体。
【請求項１４】
インターリーブすることを前記コンピュータに行わせるための前記プログラムコードは、
前記時間周波数送信ストリームのサブフレームの複数のシンボルにまたがって前記１つまたは複数のコードブロックの各々の前記複数のビットを時間および周波数においてインターリーブすることを前記コンピュータに行わせるためのプログラムコードを含み、ここにおいて、前記１つまたは複数のコードブロックの各々の前記複数のビットが、前記サブフレームの前記複数のシンボルの前記２つまたはそれより多くのシンボルにまたがって、および前記サブフレームの複数の周波数の２つまたはそれより多くの周波数にまたがって構成される、請求項１３に記載の非一時的コンピュータ可読媒体。
【請求項１５】
前記時間周波数送信ストリームが、複数のコードブロック送信シーケンスの第１のコードブロック送信シーケンスに従って送信される、請求項１３に記載の非一時的コンピュータ可読媒体。
【請求項１６】
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することを前記コンピュータに行わせるためのプログラムコードをさらに含み、ここにおいて、前記第２のコードブロック送信シーケンスは、前記受信機が前記時間周波数送信ストリームを正常に受信することに失敗した回数に従って前記送信機によって選択される、請求項１５に記載の非一時的コンピュータ可読媒体。
【手続補正２】
【補正対象書類名】明細書
【補正対象項目名】００９６
【補正方法】変更
【補正の内容】
【００９６】
[00110]本開示についての以上の説明は、いかなる当業者も本開示を作成または使用することができるようにするために提供したものである。本開示への様々な修正は当業者には容易に明らかになり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願の出願当初の特許請求の範囲に記載された発明を付記する。
［Ｃ１］
送信機において、送信の１つまたは複数のコードブロックに関する複数のビットを符号化することと、
前記送信機によって、時間周波数送信ストリーム中の２つまたはそれ以上のシンボルにまたがって前記１つまたは複数のコードブロックの各々の前記複数のビットをインターリーブすることと、
前記送信機によって受信機に前記時間周波数送信ストリームを送信することと、
を備える、ワイヤレス通信の方法。
［Ｃ２］
前記インターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間的において連続的に構成することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することと、
前記複数のビットのすべてが構成されるまで、前記サブフレームの前記複数の周波数の各々に関して前記複数のシンボルの前記最初のシンボルから前記最後のシンボルまで前記連続的に構成することを続けることと、を含む、Ｃ１に記載の方法。
［Ｃ３］
前記インターリーブすることは、
前記時間周波数送信ストリームのサブフレームの複数のシンボルにまたがって前記１つまたは複数のコードブロックの各々の前記複数のビットを時間および周波数においてインターリーブすることを含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、Ｃ１に記載の方法。
［Ｃ４］
前記インターリーブすることが、
前記時間周波数送信ストリームの２つまたはそれ以上のサブフレームにまたがって前記１つまたは複数のコードブロックの各々の前記複数のビットをインターリーブすることを含む、Ｃ１に記載の方法。
［Ｃ５］
前記時間周波数送信ストリームが、複数のコードブロック送信シーケンスの第１のコードブロック送信シーケンスに従って送信される、Ｃ１に記載の方法。
［Ｃ６］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することをさらに含み、ここにおいて、前記第２のコードブロック送信シーケンスは、前記受信機が前記時間周波数送信ストリームを正常に受信することに失敗した回数に従って前記送信機によって選択される、Ｃ５に記載の方法。
［Ｃ７］
受信機で、送信機から時間周波数送信ストリームを受信することと、
前記受信機によって、前記時間周波数送信ストリーム中の２つまたはそれ以上のシンボルにまたがってインターリーブされた１つまたは複数のコードブロックの各々の複数のビットをデインターリーブすることと、
前記受信機で、前記１つまたは複数のコードブロックの前記複数のビットを前記送信機からの送信に復号することと、を備える、ワイヤレス通信の方法。
［Ｃ８］
前記デインターリーブすることは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に選択することと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に選択することと、
前記複数のビットのすべてが選択されるまで、前記サブフレームの前記複数の周波数の各々に関して前記複数のシンボルの前記最初のシンボルから前記最後のシンボルまで前記連続的に選択することを続けることと、を含む、Ｃ７に記載の方法。
［Ｃ９］
前記デインターリーブすることは、
前記時間周波数送信ストリームのサブフレームの複数のシンボルにまたがって前記１つまたは複数のコードブロックの各々の前記複数のビットを時間および周波数においてデインターリーブすることを含み、ここにおいて、前記１つまたは複数のコードブロックの各々の前記複数のビットが、前記サブフレームの前記複数のシンボルのうちの前記２つまたはそれ以上にわたるシンボル中から、および前記サブフレームの複数の周波数の２つまたはそれ以上にわたる周波数中から選択される、Ｃ７に記載の方法。
［Ｃ１０］
前記受信機で、前記時間周波数送信ストリーム中の第１のシーケンス中に含まれる送信の複数のコードブロックよりも少ないコードブロックを復号することと、
前記複数のコードブロックよりも少ないコードブロックを復号することに応答して、前記受信機によって前記送信機に否定応答を送信することと、
前記受信機で、前記複数のコードブロックを含む前記送信機からの前記時間周波数送信ストリームの再送信を受信すること、ここにおいて、前記再送信中の前記複数のコードブロックが、前記第１のシーケンスとは異なる第２のシーケンスで構成される、と、をさらに含む、Ｃ７に記載の方法。
［Ｃ１１］
前記受信機で、前記再送信中に含まれる前記複数のコードブロックよりも少ないコードブロックを復号することと、
前記再送信中の前記複数のコードブロックよりも少ないコードブロックを復号することに応答して、および、前記送信中の復号された前記複数のコードブロックの１つまたは複数と、前記再送信中の復号された前記複数のコードブロックの１つまたは複数とが前記複数のコードブロックよりも少ないとき、前記受信機によって前記送信機に別の否定応答を送信することと、をさらに含む、Ｃ１０に記載の方法。
［Ｃ１２］
ワイヤレス通信のために構成された装置であって、
送信機で、送信の１つまたは複数のコードブロックに関する複数のビットを符号化するための手段と、
前記送信機によって、時間周波数送信ストリーム中の２つまたはそれ以上のシンボルにまたがって前記１つまたは複数のコードブロックの各々の前記複数のビットをインターリーブするための手段と、
前記送信機によって受信機に前記時間周波数送信ストリームを送信するための手段と、を備える、装置。
［Ｃ１３］
インターリーブするための前記手段は、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成するための手段と、
前記サブフレームの次の周波数での前記複数のシンボルのうちの前記第１のシンボルから前記サブフレームの前記次の周波数での前記複数のシンボルのうちの前記最後のシンボルまで前記１つまたは複数のコードブロックの各々に関する前記複数のビットの残りのビットを時間において連続的に構成するための手段と、
前記複数のビットのすべてが構成されるまで、前記サブフレームの前記複数の周波数の各々に関して前記複数のシンボルの前記最初のシンボルから前記最後のシンボルまで連続的に構成するための前記手段を続けるための手段と、を含む、Ｃ１２に記載の装置。
［Ｃ１４］
インターリーブするための前記手段は、
前記時間周波数送信ストリームのサブフレームの複数のシンボルにまたがって前記１つまたは複数のコードブロックの各々の前記複数のビットを時間および周波数においてインターリーブするための手段を含み、ここにおいて、前記１つまたは複数のコードブロックの各々の前記複数のビットが、前記サブフレームの前記複数のシンボルのうちの前記２つまたはそれ以上のシンボルにまたがって、および前記サブフレームの複数の周波数の２つまたはそれ以上の周波数にまたがって構成される、Ｃ１２に記載の装置。
［Ｃ１５］
インターリーブするための前記手段が、
前記時間周波数送信ストリームの２つまたはそれ以上のサブフレームにまたがって前記１つまたは複数のコードブロックの各々の前記複数のビットをインターリーブするための手段を含む、Ｃ１２に記載の装置。
［Ｃ１６］
前記時間周波数送信ストリームが、複数のコードブロック送信シーケンスの第１のコードブロック送信シーケンスに従って送信される、Ｃ１２に記載の装置。
［Ｃ１７］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信するための手段をさらに含み、ここにおいて、前記第２のコードブロック送信シーケンスは、前記受信機が前記時間周波数送信ストリームを正常に受信することに失敗した回数に従って前記送信機によって選択される、Ｃ１６に記載の装置。
［Ｃ１８］
プログラムコードを記録した非一時的コンピュータ可読媒体であって、前記プログラムコードは、
送信機において、送信の１つまたは複数のコードブロックに関する複数のビットを符号化することをコンピュータに行わせるためのプログラムコードと、
前記送信機によって、時間周波数送信ストリーム中の２つまたはそれ以上のシンボルにまたがって前記１つまたは複数のコードブロックの各々の前記複数のビットをインターリーブすることを前記コンピュータに行わせるためのプログラムコードと、
前記送信機によって受信機に前記時間周波数送信ストリームを送信することを前記コンピュータに行わせるためのプログラムコードと、を備える、非一時的コンピュータ可読媒体。
［Ｃ１９］
インターリーブすることを前記コンピュータに行わせるための前記プログラムコードは、
前記時間周波数送信ストリームのサブフレームの第１の周波数での複数のシンボルの最初のシンボルから前記第１の周波数での前記複数のシンボルの最後のシンボルまで前記１つまたは複数のコードブロックの各々の前記複数のビットを時間において連続的に構成することを前記コンピュータに行わせるためのプログラムコードと、
前記サブフレームの次の周波数での前記複数のシンボルの前記第１のシンボルから前記サブフレームの前記次の周波数での前記複数のシンボルの前記最後のシンボルまで前記１つまたは複数のコードブロックの各々に関する前記複数のビットの残りのビットを時間において連続的に構成することを前記コンピュータに行わせるためのプログラムコードと、
前記複数のビットのすべてが構成されるまで、前記サブフレームの前記複数の周波数の各々に関して前記複数のシンボルの前記最初のシンボルから前記最後のシンボルまで連続的に構成することを前記コンピュータに行わせるための前記プログラムコードを実行することを前記コンピュータに続けさせるためのプログラムコードと、を含む、Ｃ１８に記載の非一時的コンピュータ可読媒体。
［Ｃ２０］
インターリーブすることを前記コンピュータに行わせるための前記プログラムコードは、
前記時間周波数送信ストリームのサブフレームの複数のシンボルにまたがって前記１つまたは複数のコードブロックの各々の前記複数のビットを時間および周波数においてインターリーブすることを前記コンピュータに行わせるためのプログラムコードを含み、ここにおいて、前記１つまたは複数のコードブロックの各々の前記複数のビットが、前記サブフレームの前記複数のシンボルの前記２つまたはそれ以上のシンボルにまたがって、および前記サブフレームの複数の周波数の２つまたはそれ以上の周波数にわたって構成される、Ｃ１８に記載の非一時的コンピュータ可読媒体。
［Ｃ２１］
インターリーブすることを前記コンピュータに行わせるための前記プログラムコードが、
前記時間周波数送信ストリームの２つまたはそれ以上のサブフレームにまたがって前記１つまたは複数のコードブロックの各々の前記複数のビットをインターリーブすることを前記コンピュータに行わせるためのプログラムコードを含む、Ｃ１８に記載の非一時的コンピュータ可読媒体。
［Ｃ２２］
前記時間周波数送信ストリームが、複数のコードブロック送信シーケンスの第１のコードブロック送信シーケンスに従って送信される、Ｃ１８に記載の非一時的コンピュータ可読媒体。
［Ｃ２３］
受信機が前記時間周波数送信ストリームを正常に受信することに失敗したことに応答して、前記送信機によって、前記複数のコードブロック送信シーケンスの第２のコードブロック送信シーケンスで前記時間周波数送信ストリームを再送信することを前記コンピュータに行わせるためのプログラムコードをさらに含み、ここにおいて、前記第２のコードブロック送信シーケンスは、前記受信機が前記時間周波数送信ストリームを正常に受信することに失敗した回数に従って前記送信機によって選択される、Ｃ２２に記載の非一時的コンピュータ可読媒体。